(57)【特許請求の範囲】
【請求項１】
記録紙カセットを着脱自在とする携帯プリンタ装置であって、
サーマルヘッドが固定されたサーマルヘッド保持部材と、
前記サーマルヘッド保持部材を駆動するための第１の駆動モータと、
前記第１の駆動モータの駆動力に基づいて前記サーマルヘッド保持部材を駆動するための第１の駆動手段と、
を設けた、一対の側壁片部および当該一対の側壁片部の間に配設された背面側シャーシ部を有する第１のフレーム部と、
前記第１のフレーム部における前記一対の側壁片部に対してそれぞれ連結固体される一対の側壁部を有し、前記第１のフレーム部に一体的に係合する第２のフレーム部であって、
当該携帯プリンタ装置における本体カバーの前面から記録紙を給紙または排出するとともに、前記記録紙を搬送するための記録紙搬送経路を有する記録紙搬送機構と、
前記一対の側壁部間に回転自在に軸支され、当該携帯プリンタ装置に装着された記録紙カセットから記録紙を引き出し当該携帯プリンタ装置本体内に供給する記録紙引出ローラと、
を設けた第２のフレーム部と、
前記第１のフレーム部および前記第２のフレーム部の底面側に形成された空間に配設された、前記第１の駆動手段の駆動制御と前記第２の駆動手段の駆動制御とのうち少なくとも一の駆動制御を行うための制御回路を有する制御回路用基板と、
前記第１のフレーム部における前記一対の側壁片部の間に配設された前記背面側シャーシの後方基端側において、前記制御回路用基板の後端部に対して垂直に立設された、電源回路を有する電源回路用基板と、
を備え、
前記第２のフレーム部における前記一対の側壁部のうち一方の側壁部側には、
少なくとも前記記録紙引出ローラを駆動するための第２の駆動モータと、
前記第２の駆動モータに係合し当該第２の駆動モータの駆動力を伝達する第２の駆動手段と、
前記第２の駆動手段に係合し、前記第２の駆動モータの駆動力により回動する複数のリール軸と、
を配設し、
前記一対の側壁部のうち他方の側壁部側には、
少なくともインクリボンカセットを挿入するための挿入開口部を配設し、
前記インクリボンカセットを前記挿入部開口部より当該携帯プリンタ装置本体内に挿入して装着した際、当該インクリボンカセットの開口部は前記サーマルヘッドの下方に位置し、かつ、当該インクリボンカセットにおける供給リールおよび巻取リールはそれぞれ前記複数のリール軸の何れかに嵌合する
ことを特徴とする携帯プリンタ装置。
【請求項２】
当該携帯プリンタ装置本体は、
前記記録紙引出ローラと対向する位置に、前記記録紙カセットを着脱するための着脱手
段を備えたことを特徴とする請求項１記載の携帯プリンタ装置。
【発明の詳細な説明】
【技術分野】
【０００１】
本発明は、携帯プリンタ装置において、小型携帯型で記録紙の搬送機能とサーマルヘッド保持部材の駆動機構の組立作業効率が改善されたプリンタ装置に関するものである。
【背景技術】
【０００２】
近年、電子カメラで撮像生成したデジタル静止画像信号、あるいはコンピュータ機器で作成した画像データ（以下、単に画像信号という）をブラウン管や液晶素子等のモニターに表示すると共に、記録用紙に画像印刷することも行われている。
【０００３】
前記画像信号の画像を記録用紙に印刷するプリンタ装置は、薄膜フィルム上に熱溶融性または熱昇華性の熱転写インクを塗布したインクリボンと記録用紙とをプラテンローラ上で重ね合わせ、かつ、プラテンローラとサーマルヘッドで押圧挟持しながら移送させ、その移送の間に前記記録紙の搬送方向と直交する方向の長手方向に複数の発熱素子がライン状に配列された前記サーマルヘッドに前記画像信号に応じた発熱電流を加えてインクリボンの熱転写インクを溶融または昇華させて記録用紙に転写印刷するというものである。
【０００４】
この種のプリンタ装置は、サーマルヘッドが固定されたサーマルヘッド保持部材と、サーマルヘッド保持部材を駆動するヘッド駆動手段と、サーマルヘッドを受けるプラテンローラと、プラテンローラ方向へ記録紙を送出する紙送りローラと、紙送りローラを駆動するローラ駆動手段と、インクリボンカセット挿入開口部から装着されたインクリボンと、前記ヘッド駆動手段と前記ローラ駆動手段に駆動力を供給する駆動源と、記録紙及びインクリボンを搬送する搬送駆動系及びサーマルヘッドの駆動回路等がプリンタ装置の筐体内に組み込まれている。
【発明の開示】
【発明が解決しようとする課題】
【０００５】
従来のプリンタ装置を構成する上記搬送駆動系と上記サーマルヘッドの回路駆動系を筐体内に組み込む際には、その組み込み順序を明確に設定してから組み込み作業を行う。しかしながら、その組み込み順序は、予め複雑に決まっており間違えやすい。しかも筐体内の組み込みスペースが狭い場合には、上記に加え組み込み作業がやりにくく、プリンタ装置の組立作業時間が掛かり作業効率が低下してしまう。
【０００６】
本発明は、上記従来の課題に鑑み、前記各駆動系を個別に組み立て、その個別に組み立てられた駆動を組み合わせることで、組立作業の効率向上を図る携帯プリンタ装置を得ることを目的とする。
【課題を解決するための手段】
【０００７】
本発明の携帯プリンタ装置は、記録紙カセットを着脱自在とする携帯プリンタ装置であって、サーマルヘッドが固定されたサーマルヘッド保持部材と、前記サーマルヘッド保持部材を駆動するための第１の駆動モータと、前記第１の駆動モータの駆動力に基づいて前記サーマルヘッド保持部材を駆動するための第１の駆動手段と、を設けた、一対の側壁片部および当該一対の側壁片部の間に配設された背面側シャーシ部を有する第１のフレーム部と、前記第１のフレーム部における前記一対の側壁片部に対してそれぞれ連結固体される一対の側壁部を有し、前記第１のフレーム部に一体的に係合する第２のフレーム部であって、当該携帯プリンタ装置における本体カバーの前面から記録紙を給紙または排出するとともに、前記記録紙を搬送するための記録紙搬送経路を有する記録紙搬送機構と、前記一対の側壁部間に回転自在に軸支され、当該携帯プリンタ装置に装着された記録紙カセットから記録紙を引き出し当該携帯プリンタ装置本体内に供給する記録紙引出ローラと、を設けた第２のフレーム部と、前記第１のフレーム部および前記第２のフレーム部の底面側に形成された空間に配設された、前記第１の駆動手段の駆動制御と前記第２の駆動手段の駆動制御とのうち少なくとも一の駆動制御を行うための制御回路を有する制御回路用基板と、前記第１のフレーム部における前記一対の側壁片部の間に配設された前記背面側シャーシの後方基端側において、前記制御回路用基板の後端部に対して垂直に立設された、電源回路を有する電源回路用基板と、を備え、前記第２のフレーム部における前記一対の側壁部のうち一方の側壁部側には、少なくとも前記記録紙引出ローラを駆動するための第２の駆動モータと、前記第２の駆動モータに係合し当該第２の駆動モータの駆動力を伝達する第２の駆動手段と、前記第２の駆動手段に係合し、前記第２の駆動モータの駆動力により回動する複数のリール軸と、を配設し、前記一対の側壁部のうち他方の側壁部側には、少なくともインクリボンカセットを挿入するための挿入開口部を配設し、前記インクリボンカセットを前記挿入部開口部より当該携帯プリンタ装置本体内に挿入して装着した際、当該インクリボンカセットの開口部は前記サーマルヘッドの下方に位置し、かつ、当該インクリボンカセットにおける供給リールおよび巻取リールはそれぞれ前記複数のリール軸の何れかに嵌合することを特徴とする。
【発明の効果】
【０００８】
本発明によれば、各駆動系を個別に組み立て、その個別に組み立てられた駆動を組み合わせることで、組立作業の効率向上を図る携帯プリンタ装置を提供することができる。
【発明を実施するための最良の形態】
【０００９】
以下、図面を参照して本発明の実施の形態を説明する。
【００１０】
図１は本発明に係るプリンタ装置の一実施形態の内部構成を示す展開斜視図で、図２は本発明に係るプリンタ装置に用いるシャーシの構成を説明する斜視図で、図３は本発明に係るプリンタ装置と電源部の関係を説明する斜視図で、図４は本発明に係るプリンタ装置の外観構成を示す斜視図である。
【００１１】
最初にプリンタ装置の外観構成について、図４を用いて説明する。図４の符号１１はプリンタ装置（以下、装置本体という）で、全体に略矩形立方体形状をしており、装置本体１１は、上部外装部１１ａと下部外装部１１ｂで形成されている。上部外装部１１ａの上面には、各種操作を入力する入力スイッチと操作動作状態を示す表示部からなる入力動作表示部１２と、装置本体１１の内部に生ずる熱を放熱する放熱口が穿設されている。この放熱口の内部側には図示しない冷却ファンが設けられている。
【００１２】
装置本体１１の正面には、記録紙カセット１３が着脱され、その記録紙カセット１３に収納されている記録紙をプリンタ装置１１内に挿入する記録紙挿入口１４が設けられている。この記録紙挿入口１４は、前記記録紙カセット１３が装着されていないときには、記録紙挿入口用蓋１５で覆われるようになっている。また、前記記録紙カセット１３は、図示していない複数の記録紙を収納する収納部と、その収納部には収納した記録紙を下面側から上面側に押し上げる図示していない弾性部材が配置され、前記収納部に収納された記録紙の上面側を覆う蓋部材と、記録紙カセット１３が前記装置本体１１の記録紙挿入口１４に挿入される側の蓋部材が一部切除されて形成された記録紙引出口が設けられている。この記録紙引出口は、前記記録紙挿入口１４に設けられた記録紙引出ローラ３１が嵌合されて、前記弾性部材で上方に押圧されている記録紙を前記記録紙引出ローラ３１に圧着させ、かつ、記録紙引出ローラ３１の回転により、１枚づつ装置本体１１内に搬送されるようになっている。
【００１３】
装置本体１１の図中右側面には、インクリボンカセット１６を装置本体１１内の所定の位置に挿着するインクリボン挿入開口（以下、インクリボン挿入口という）１７が設けられている。このインクリボン挿入口１７は、インクリボン挿入口蓋１８で覆われるようになっている。前記インクリボンカセット１６は、薄膜フィルム上に熱転写用のイエロー（Ｙ）、マゼンタ（Ｍ）、シアン（Ｃ）、及び透明なオーバーコート用インク（ＯＰ）等の複数の色を順次繰り返して塗布されたインクリボンと、インクリボンを巻回した図示していない供給リールを収納した供給リール収納部と、前記インクリボンを巻き取る図示していない巻き取りリールを収納した巻き取りリール収納部と、及び前記供給リール収納部と巻き取りリール収納部との間に張架されたインクリボンが露出され、かつ、後述するサーマルヘッドが圧着される開口からなっている。前記インクリボン挿入口１７は、インクリボンカセット１６が挿入される略相似形状の開口として、インクリボンカセット１６の挿入が容易に行われると共に、挿入時の誤挿入を防止する形状となっている。
【００１４】
装置本体１１の図中左側面には、記録媒体１９が挿入される図示していない記録媒体挿入口と、ＰＣインターフェイスプラグ２０が接続される図示していないＰＣインターフェイスコネクタと、及びＤＣインレットプラグ２１が接続される図示していないＤＣインレットコネクタが設けられている。前記記録媒体１９は図示していないデジタル静止画撮像装置や動画撮像装置で撮像した画像データを収納記録されている半導体メモリを内蔵したカード形式の記録媒体で、前記記録媒体挿入口から装置本体１１内に挿入されて、記録媒体１９に記録されている画像データを読み出されるようになっている。前記ＰＣインターフェイスプラグ２０は図示していないコンピュータ機器に接続されており、コンピュータ機器で作成されたコンピュータグラフィック画像データをＰＣインターフェイスコネクタを介して装置本体１１に取り込むインターフェイスである。前記ＤＣインレットプラグ２１は、商用交流電源を整流し、所定の直流電源に変換して、装置本体１１の各種信号処理回路や各種駆動機能を駆動する駆動電源をＤＣインレットコネクタを介して供給するものである。
【００１５】
装置本体１１の図中背面には、バッテリー２２が装着されるようになっている。バッテリー２２の内部には、図示していない充電可能、または充電不可能な電池が収納され、その収納された電池と接続された接点２３と前記装置本体１１の背面に着脱固定するための固定片２４ａ〜２４ｃと係止孔２５が設けられている。装置本体１１の背面には、前記バッテリー２２の接点２３と接触する図示していない電池接片と、前記固定片２４ａ〜２４ｄが係合される図示していない係合片が設けられている。このバッテリー２２は、前記ＤＣインレットプラグ２１から駆動電源が供給されていない場合に、装置本体１１の各種駆動電源を供給するものである。
【００１６】
なお、前記記録用紙挿入口用蓋１５と及びインクリボン挿入口蓋１８の一端部分は装置本体１１に蝶番または蝶番形状により開閉自在に形成され、他端部は係止片で係止されるようになっている。
【００１７】
次に、図１と図２を用いて装置本体１１の内部構成について説明する。なお、図２は、装置本体１１の筐体を構成するシャーシと記録紙ガイド部材のみを示している。装置本体１１の正面には、前記記録紙挿入口１４が設けられ、前記記録紙カセット１３を脱着するための脱着手段が設けられると共に、前記記録紙カセット１３の記録紙引出口にから記録紙を引き出す記録紙引出ローラ３１が配置されている。この記録紙引出ローラ３１は、前記装置本体１１の筐体の左右側壁部（以下、左右のシャーシという）３２ａ、３２ｂに回転自在に軸止され、後述するインクリボン及び記録紙駆動用の第３の駆動手段５１により、記録紙カセット１３から記録紙を引出し装置本体１１内に供給する方向に回転する。
【００１８】
前記記録紙引出ローラ３１の後方には、記録紙カセット１３から引き出された記録紙を挟持して、装置本体１１内部に記録紙を送出する一対の紙送りローラである押圧ローラ３３と搬送用ローラ３４が設けられている。押圧ローラ３３は、後述するサーマルヘッド及び押圧ローラ駆動用の第１の駆動手段４１により前記搬送用ローラ３４に押圧されて記録紙を保持する保持位置と搬送用ローラ３４から退避する退避位置に移動すると共に搬送用ローラ３４の回転に従動して回転する。前記搬送用ローラ３４は、前記左右シャーシ３２ａ，３２ｂに搬送用ローラ軸３４ａが回転自在に軸支され、後述する搬送用ローラ駆動用の第２の駆動手段４９によって装置本体１１内に記録紙を搬送する方向と排出する方向に回転するようになっている。
【００１９】
前記搬送用ローラ３４の後方には、プラテンローラ３５が左右シャーシ３２ａ，３２ｂに回転自在に軸支されている。このプラテンローラ３５の上方には、サーマルヘッド３７が配置され、前記押圧ローラ３３と搬送用ローラ３４で挟持搬送された記録紙と、インクリボンカセット１６のインクリボンをプラテンローラ３５に保持して熱転写印刷するようになっている。
【００２０】
このサーマルヘッド保持部材３８は、サーマルヘッド３７の長手方向に平行して形成されたサーマルヘッド保持部３８ａと、このサーマルヘッド保持部３８ａの略中間部分から前記長手方向と略垂直な方向に延出湾曲させたアーム部３８ｂとによって略Ｔ字形状に構成され、前記サーマルヘッド３７は、前記記録紙及びインクリボンの搬送方向と直交させて上記サーマルヘッド保持部３８ａに取り付け固定されている。このサーマルヘッド保持部材３８のアーム部３８ｂの他端には、回転軸３８ｃが固着され、この回転軸３８ｃは左右連結片４７ａ，４７ｂに対して回動自在に軸止されている。このサーマルヘッド保持部材３８は回転軸３８ｃを中心に弾性部材３８ｄでサーマルヘッド３７が前記プラテンローラ３５から離間するように張力が与えられている。このサーマルヘッド保持部材３８のアーム部３８ｂの他端の湾曲された頂点付近には、カム部３８ｅが設けられており、このカム部３８ｅには、後述する第１の駆動手段４１によって、前記サーマルヘッド保持部材３８を弾性部材３８ｄの張力に反して、回転軸３８ｃを中心に前記サーマルヘッド３７をインクリボンと記録紙をプラテンローラ３５に保持する保持位置に移動させる動作を行うようになっている。
【００２１】
前記右シャーシ３２ａには、前記インクリボンカセット１６が挿入されるインクリボン挿入口１７が穿設されており（図２、図４参照）、このインクリボン挿入口１７から挿着されインクリボンカセット１６は、前記サーマルヘッド３７の下方にインクリボンカセット１６の開口が位置すると共に、前記インクリボンカセット１６の供給リール収納部と巻き取りリール収納部内に設けた供給及び巻き取りリールは、左シャーシ３２ｂ内側に配置されたリール軸３６ａ，３６ｂに嵌合する。このリール軸３６ａ，３６ｂは後述する第３の駆動手段５１によって回転駆動させてインクリボンを供給リールから巻き取りリールへと供給する。
【００２２】
前記左連結片４７ｂには、前記搬送用ローラ３４を駆動する第２のモータ４８が設けられ、この第２のモータ４８の駆動軸は前記左連結片４７ｂから貫通させ、この駆動軸に取り付けられた歯車を含む複数の歯車とベルトからなる第２の駆動手段４９が左シャーシ３２ｂの外側に配置されている。この第２の駆動手段４９によって所定の回転数に減速制御された回転駆動力は、搬送用ローラ３４の軸３４ａに伝達されて搬送用ローラ３４を正逆転駆動させる。
【００２３】
さらに、前記左シャーシ３２ｂの外側面には、第３のモータ５０が配置され、この第３のモータ５０の回転軸に取り付けられた歯車と他の複数の歯車を組み合わせて前記インクリボンカセット１６に内蔵している供給と巻き取りリールに嵌合するリール軸３６ａ，３６ｂと前記記録紙引出ローラ３１を回転駆動させる第３の駆動手段５１が設けられている。
【００２４】
つまり、左右のシャーシ３２ａ，３２ｂに記録紙引出ローラ３１、押圧ローラ３３、搬送用ローラ３４、及びプラテンローラ３５が回転自在に軸支されている。前記右シャーシ３２ａには、リボンカセット１６を挿入するリボンカセット挿入口１７が穿設されており、左シャーシ３２ｂには、前記搬送用ローラ３４を駆動する第２の駆動手段４９とインクリボンと記録紙を引き出し搬送させる第３の駆動手段５１が配置された第２のフレームユニットが形成される。
【００２５】
前記サーマルヘッド保持部材３８のカム部３８ｅの後方には、サーマルヘッド及び押圧ローラ駆動用の第１の駆動手段４１が配置されている。この第１の駆動手段４１は、駆動源である第１のモータ４０からの回転駆動を減速伝達する歯車群４１ａとこの歯車群４１ａで減速伝達された回転力を前記サーマルヘッド保持部材３８のカム部３８ｅに伝達する第１のカム駆動部４１ｂと、前記押圧ローラ３３を搬送用ローラ３４に押圧たは離間方向に移動させるための後述するスライド部材４４ａ，４４ｂを揺動させる第２のカム駆動部４１ｃが同軸に一体形成されている。この第１の駆動手段４１は、背面シャーシ４２に配置され、この背面シャーシ４２の両端部は折曲されて、その折曲された面には、前記連結片４７ａ，４７ｂに連結固定する際の固定位置決め用の突起４２ａ，４２ｂ（突起４２ｂは図の関係から図示せず）とネジ孔等が設けられている（図２参照）。
【００２６】
前記第１の駆動源４０と第１の駆動手段４１を取り付け固定された前記背面シャーシ４２は、前記突起４２ａ，４２ｂを前記連結片４７ａ，４７ｂに設けた挿入孔４７ｃ，４７ｄに挿入して位置決めしてネジ等で固定される。このとき、前記サーマルヘッド保持部材３８の回転軸３８ｃを前記連結片４７ａ，４７ｂに設けたサーマルヘッド保持部材軸受け孔４７ｅ，４７ｆに挿入して回転自在に軸止する。
【００２７】
前記第１の駆動手段４１の第２のカム駆動部４１ｃは、前記連結片４７ａ，４７ｂに軸支された前記サーマルヘッド保持部材３８の回転軸３８ｃの近傍に配置され、かつ、前記連結片４７ａ，４７ｂに回転自在に軸支された後述する回転軸４３に設けられたカム部４３ａに接触するようになっている。
【００２８】
つまり、前記連結片４７ａ，４７ｂは、前記サーマルヘッド保持部材３８の回転軸３８ｃを前記サーマルヘッド保持部材軸受け孔４７ｅ，４７ｆを軸支し、かつ、前記回転軸４３を軸支している。そして、前記第１の駆動源４０と第１の駆動手段４１が固定された背面シャーシ４２の突起４２ａ，４２ｂを前記挿入孔４７ｃ，４７ｄに挿入してネジ等で固定することで、第１のフレームユニットが形成される。
【００２９】
前記第１の駆動源４０と第１の駆動手段４１を取り付け固定した背面シャーシ４２と、サーマルヘッド保持材３８の回転軸３８ｃと回転軸４３が軸支された連結片４７ａ，４７ｂとを連結固定した第１のフレームユニットと、前記搬送ローラ３４、プラテンローラ３５を左右シャーシ３４ａ，３４ｂに軸止した第２のフレームユニットは、前記左右シャーシ３４ａ，３４ｂの後端の連結片４７ａ，４７ｂ側に設けたネジ穴３２ｄ，３２ｄ’，３２ｃ，３２ｃ’と、前記連結片４７ａ，４７ｂの先端の前記左右シャーシ３４ａ，３４ｂ側に設けたネジ穴４７ｇ，４７ｇ’，４７ｈ，４７ｈ’とを用いてネジ等で固定する。
【００３０】
つまり、前記背面シャーシ４２と連結片４７ａ，４７ｂに所定の駆動機構を事前組み立した第１のフレームユニットと、前記左右シャーシ３４ａ，３４ｂに所定の駆動機構を事前組立した第２のフレームユニットを相互に連結固定することで、組立作業の効率向上が可能となる。
【００３１】
なお、この第１と第２のフレームユニットを連結する際に、前記第１の駆動手段４１を構成する第１の駆動カム部４１ｂが、前記サーマルヘッド保持部材３８のカム部３８ｅを適度に押圧するような関係に連結させる為、前記連結片４７ａ，４７ｂに設けた挿入孔４７ｅ，４７ｆとネジによる固定孔に若干の位置補正が可能な形状寸法としても良い。また、前記第１と第２のフレームユニットの連結位置補正するために前記左右シャーシ３２ａ，３２ｂに設けたネジ穴３２ｃ，３２ｃ’，３２ｄ，３２ｄ’または連結片４７ａ，４７ｂに設けたネジ穴４７ｇ，４７ｇ’，４７ｈ，４７ｈ’のいずれかに若干の位置補正が可能な形状寸法としても良い。
【００３２】
前記左右シャーシ３２ａ，３２ｂに軸支されたプラテンローラ３５の後方には、印刷済記録紙を搬送ガイドする記録ガイド部材３９が前記左右シャーシ３２ａ，３２ｂと連結片４７ａ，４７ｂで挟持固定されている。又、この記録紙ガイド部材３９は、前記背面シャーシ４２後方で図２に示すように図中上方に湾曲させた湾曲部３９ａ、３９ｂを有している。この湾曲部３９ａ，３９ｂにより、印刷済記録紙は、装置本体１１の上方に案内されるために、装置本体１１の奥行き寸法の短縮が可能となる。
【００３３】
前記第１の駆動手段４１の第２のカム駆動部４１ｃは、前記サーマルヘッド保持部材３８の回転軸３８ｃの近傍で、前記連結片４７ａ，４７ｂに軸支された回転軸４３に設けられたカム部４３ａに接触するようになっている。この回転軸４３の連結片４７ａ，４７ｂに両端が軸止された近傍には、一端が固定された長形の固定片４３ｂ，４３ｃが取付固定され、この固定片４３ｂ，４３ｃの他端は、スライド部材４４ａ，４４ｂの一端が回動自在に転結されている。前記スライド部材４４ａ，４４ｂは、前記搬送用ローラ３４の近傍まで前記記録紙ガイド部材３９及び左右シャーシ３２ａ，３２ｂの長手方向と略平行に延在させ、その他端には、くの字状の駆動腕４５ａ，４５ｂの一端が回動自在に転結させている。この駆動腕４５ａ，４５ｂの中央部分は前記左右シャーシ３２ａ，３２ｂに回転自在に軸支させ、さらに、他端は前記押圧ローラ３３に回動自在に軸支させている。このスライド部材４４ａ，４４ｂと駆動腕４５ａ，４５ｂとの軸支点は、弾性体４６ａ，４６ｂ（弾性体４６ｂは図の関係から図示せず）で押圧ローラ３３を搬送用ローラ３４に圧接する方向に弾性力が付与されている。なお、前記左シャーシ３２ｂ側に設けたスライド板４４ｂは、後述する理由からコの字状に折曲して略凸状形状に形成されている。
【００３４】
つまり、前記第１のモータ４０と第１の駆動手段４１を配置した背面シャーシ４２と前記サーマルヘッド保持部材３８の回転軸３８ｃと回転軸４３を軸止した連結片４７ａ、４７ｂとからなる第１のフレームユニットと、前記記録紙搬送用の各種ローラ３１，３３，３４，３５を左右シャーシ３２ａ，３２ｂに配置した第２のフレームユニットとを連結固定すると共に、前記スライド部材４４ａ，４４ｂと前記回転軸４３の固定片４３ｂ，４３ｃとを回転自在に取り付けることで、装置本体１１の筐体の組立作業の誤作業もなく、かつ、組立作業効率も向上する。
【００３５】
なお、前記サーマルヘッド保持部材３８の回転軸３８ｃと第１の駆動手段４１の第２のカム駆動部４１ｃで回転駆動する前記回転軸４３は、前記連結片４７ａ，４７ｂに軸支すると前述しているが、前記左右シャーシ３２ａ，３２ｂに前記サーマルヘッド保持部材３８の回転軸３８ｃと回転軸４３を軸支するようにすると、第２のフレームユニットの組立作業において、前記回転軸４３と固定片４３ｂ，４３ｃを介してスライド板４４ａ，４４ｂも共に組み立てることができ、前記連結片４７ａ，４７ｂは、単に第１のフレームユニットと第２のフレームユニットを連結固定のみとなり、一層の組立作業の効率向上が図れる。
【００３６】
また、前記右シャーシ３２ａには、インクリボンカセット１６を挿入する挿入口１７が開口されているが、このインクリボン挿入口１７にインクリボンカセット１６を挿入又は挿脱する際に、ユーザの手がインクリボン挿入口１７の周辺に触れる。このインクリボン挿入口１７の周辺に付着した手等からの汗により、錆等の腐食が他の左シャーシ３２ｂや背面シャーシ４２等に比して促進される。このため、右シャーシ３２ａを錆びにくい部材を用いるか、又はリボンカセット挿入口１７の周辺に錆び止め処理を施している。
【００３７】
前記左右シャーシ３２ａ，３２ｂの図中下方には、第１の印刷配線基板５２が配置されている。この第１の印刷配線基板５２には、前記記録媒体１９又はＰＣインターフェイスプラグ２０から得た画像信号データを処理して、前記サーマルヘッド３７を発熱制御する各種信号処理回路や、前記各種駆動手段の駆動制御回路等が搭載されている。さらに、前記記録媒体１９を挿着する図示していない記録媒体挿着ユニットと、前記ＰＣインターフェイスプラグ２０が接続されるＰＣインターフェイスコネクタと、及びＤＣインレットプラグ２１が接続されるＤＣインレットコネクタ等も搭載されている。
【００３８】
前記記録媒体挿着ユニットは矩形立方体形状をしており、前記右シャーシ３２ｂと平行して配置したスライド板４４ｂと重なり接触することになる。このため、前記スライド板４４ｂをコの字状に折曲して、前記記録媒体挿着ユニットを跨ぐように配置することで、スライド板４４ｂと記録媒体挿着ユニットとの重なり接触を回避している。
【００３９】
前記背面シャーシ４２の後方基端側に前記第１の印刷配線基板５２から垂直に立設された第２の印刷配線基板５３が配置されている。この第２の印刷配線基板５３には、バッテリー２２の接点２３に接続する接片や前記第１の印刷配線基板５２に搭載されている各種信号処理回路の駆動電源を供給する電源回路が搭載されている。
【００４０】
次に図３を用いて装置本体１１とバッテリー２２との関係について説明する。前記装置本体１１の背面には、前記サーマルヘッド保持部材３８を駆動する第１の駆動手段４１が背面シャーシ４２に配置された第１のフレームユニットの後方基端部側に第１の印刷配線基板５２から立設された第２の印刷配線基板５３が配置されている。この第２の印刷配線基板５３には、前記電源回路が搭載されると共に、装置本体１１の背面に装着されるバッテリー２２の接点２３と対向する位置に接片５４が搭載されており、前記接点２３と接片５４の接触接続により、バッテリー２２から第２の印刷配線基板５３の電源回路に電力供給される。
【００４１】
この装置本体１１の背面には、前記バッテリー２２に設けられている固定片２４ａ〜２４ｄに対向する位置に係止片５５ａ〜５５ｄが設けられている。さらに、装置本体１１の前記バッテリー２２と接する面の一方の側面には、バッテリー２２の装着を解除させる解除釦５６が設けられ、この解除釦５６をスライドさせて共に揺動する係止片５６ａが装置本体１１の背面から突出させている。この解除釦５６と係止片５６ａは装置本体１１の背面外方向に図示していない弾性体で付勢されている。この解除釦５６と揺動する係止片５６ａに対抗する位置バッテリー２２の装置本体１１と接する面には、係止孔２５が穿設されている。
【００４２】
つまり、前記バッテリー２２の接点２３を装置本体１１の接片５４に接触させつつ、バッテリー２２の固定片２４ａ〜２４ｄを装置本体１１の係止片５５ａ〜５５ｄに係止固定すると、前記解除釦５６の係止片５６ａは、バッテリー２２の係止孔２５内に嵌入されて、強固にバッテリー２２が装置本体１１に装着される。
【００４３】
一方、前記解除釦５６をバッテリー２２の取り外し方向に摺動させると、前記解除釦５６と共に係止片５６ａも揺動して、バッテリー２２の係止孔２５から離脱され、バッテリー２２を装置本体１１から取り外しができる。
【００４４】
なお、装置本体１１にバッテリー２２を装着する方法としては、数々の方法があり、前述のバッテリー取付方法に限るものでしなく、前記第１のフレームユニットの後方基端側に着脱自在の電源部を配置したことにより、装置本体１１の小型化を実現したものである。
【００４５】
以上説明したように実施の形態によれば、装置本体１１の正面に記録紙カセット１３を着脱する記録紙着脱手段を配置し、装置本体１１の背面にバッテリー２２の電源部を着脱する電源着脱手段を配置し、装置本体１１の一方の側壁部にインクリボンカセット１６を着脱するインクリボンカセット挿入口を開口している。さらに、装置本体１１の内部には記録用紙やインクリボン走行駆動系とサーマルヘッド保持部材を小型薄型に対応した構成とし、それら走行駆動系とサーマルヘッドを少なくとも２つのフレームユニットに分けて個別に組み立て、その個別に組み立てられたフレームユニットを連結固定させて装置本体１１内に組み込むことにより、プリンタ装置本体１１の組立作業の能率向上が図れる。
【図面の簡単な説明】
【００４６】
【図１】本発明に係るプリンタ装置の一実施形態の内部構成を示す展開斜視図。
【図２】本発明に係るプリンタ装置に用いるシャーシの構成を説明する斜視図。
【図３】本発明に係るプリンタ装置と電源部の関係を説明する斜視図。
【図４】本発明に係るプリンタ装置の外観構成を示す斜視図。
【符号の説明】
【００４７】
１１…プリンタ装置
１２…入力動作表示手段
１３…記録紙カセット
１４…記録紙挿入口
１５…記録紙挿入口蓋
１６…インクリボンカセット
１７…インクリボン挿入口（インクリボン挿入開口部）
１８…インクリボン挿入口蓋
１９…記録媒体
２０…ＰＣインターフェイスプラグ
２１…ＤＣインレットプラグ
２２…バッテリー
２３…接点
２４…固定片
２５…係止孔
３１…記録紙引出ローラ
３２…シャーシ（側壁部）
３３…押圧ローラ
３４…搬送用ローラ
３５…プラテンローラ
３６…リール軸
３７…サーマルヘッド
３８…サーマルヘッド保持部材
３９…記録紙ガイド部材
４０…第１の駆動手段
４１…第１のモータ
４２…背面シャーシ
４３…回転軸
４４…スライド部材
４５…駆動腕
４６…弾性体
４７…連結片
４８…第２のモータ
４９…第２の駆動手段
５０…第３のモータ
５１…第３の駆動手段
５２…第１の印刷配線基板
５３…第２の印刷配線基板
５４…接片
５５…係止片
５６…解除釦
【図１】
0004576401.tif 000002
【図２】
0004576401.tif 000003
【図３】
0004576401.tif 000004
【図４】
0004576401.tif 000005